(57)【特許請求の範囲】
【請求項１】
パチンコ島内部の硬貨搬送路の通り芯に交差するようにしてパチンコ島内部の所要箇所に取り付けられ、前記通り芯に直交する方向に複数の係止孔を備えている支持ステーと、前記硬貨搬送路の受け部を有して前記支持ステーに取り付けられるブラケットとからなり、前記ブラケットは、パチンコ島の内部に敷設されるコード類などの配線を掛け止める配線受け部と前記支持ステーを前記通り芯と直交する方向にスライド可能に挟み込む可撓性の挟持片とを備えて、前記挟持片に前記係止孔に係脱可能に係合する位置決め突起を設けていることを特徴とする硬貨搬送路の支持装置。
【請求項２】
上記係止孔の配列に粗密があり、密部が上記通り芯に交差する位置に設けられている請求項１に記載の硬貨搬送路の支持装置。
【請求項３】
上記係止孔の間には、位置決め突起を係止孔配列方向に案内する案内部が設けられている請求項１または２に記載の硬貨搬送路の支持装置。
【発明の詳細な説明】
【０００１】
【発明の属する技術分野】
本発明はパチンコ島の内部に設けられている硬貨搬送路を支える支持装置に関するものである。
【０００２】
【発明が解決しようとする課題】
図５に示されているように、近年のパチンコ店舗におけるパチンコ島ａでは、遊技者が離席することなく貸し玉を得ることができるようにパチンコ台ｂそれぞれの側方にパチンコ台間玉貸し機ｃが組み付けられている。そして、そのパチンコ台間玉貸し機ｃに投入された硬貨にあってはそのパチンコ台間玉貸し機ｃに貯留させることなく、常時、回収が行えるように図られており、パチンコ島ａの内部に亘ってベルトコンベヤ形式の硬貨搬送路ｄを組み入れ（例えば、特開平６−４０５８９号公報や特開平８−２０２９１３号公報参照）、前記パチンコ台間玉貸し機ｃから排出された硬貨がその硬貨搬送路ｄに乗って一方向へ送られ、そして、実開平５−１８６号公報に示されているごとくのパチンコ島端に設置された両替機などの金庫部ｅへ送り出されるようにしている。なお、図においてｆは紙幣搬送路を示している。
このような硬貨搬送路をパチンコ島の内部に組み付けるにあっては、硬貨を搬送する行程長さが比較的長いことからこの硬貨搬送路を複数箇所で支えるようにしており、パチンコ島の内部の複数の所定箇所に支持装置が取り付けられている。図６はその支持装置１を示していて、この支持装置１は、パチンコ島の所要箇所に取り付けて硬貨搬送路の通り芯Ｘに交差するように張り出る支持ステー２と、前記支持ステー２に取り付けられるブラケット３とからなるものである。支持ステー２は板状に形成されていて一端をＬ字状に折曲してパチンコ島側への取付面部４とするとともに、その取付面部４から通り芯Ｘと直交する方向に張り出し、その張り出された部分に前記通り芯Ｘと直交する方向に複数の係止孔５が並ぶようにして設けられている。また、ブラケット３は硬貨搬送路を受けるように上面側を開放した略コ字型状の受け部６に、その受け部６の上方にシュータ連結具７を取り付けてなるものであり、前記受け部６の下面に突設したねじ８を支持ステー２の係止孔５に通して蝶ナット９にて支持ステー２に止め付けるようにしている。
図７には使用状態が示されていて、ブラケット３にシュータ連結具７を取り付け、このシュータ連結具７に、通り芯Ｘを挟んだパチンコ台間玉貸し機ｃ側からのシュータｇがそれぞれ連結され、そのシュータｇからシュータ連結具７を通して硬貨搬送路ｄに硬貨が落ちるようにしていた。
【０００３】
ところで、店舗においてパチンコ島を組み立てるときに誤差などが生じ易く、予め店舗床などに対して設定されていた初期の通り芯上に上記硬貨搬送路を通そうとするとパチンコ島の部材と干渉することがあり、組立現場において硬貨搬送路の通り芯の位置調整を行う必要がある。よって、上述のごとく支持装置では支持ステーに複数の係止孔を設けてブラケットの位置を変え、硬貨搬送路の位置調整が行えるようにしている。そして、硬貨搬送路は、硬貨のスムーズな送り状態を確保して搬送不良を極力防止するために曲がりなく直線状に通すため、新たな硬貨搬送路の通り芯が設定された場合、行程長さに亘って所要箇所にある支持装置それぞれを再調整することになる。しかし、上述したように、支持ステーに対してブラケットを蝶ナットによって止め付ける構造であるため、ブラケットの移動と固定のたびに蝶ナットの締め外しを繰り返さなければならず、ブラケットの移動作業が極めて煩雑になっていた。
そこで本発明は上記事情に鑑み、上記ねじと蝶ナットとによる取付形態とはせずにブラケットを支持ステーに対して位置調整できる状態で取り付けることを課題とし、硬貨搬送路の位置調整を簡便にすることを目的とする。
【０００４】
【課題を解決するための手段】
本発明は上記課題を考慮してなされたもので、パチンコ島内部の硬貨搬送路の通り芯に交差するようにしてパチンコ島内部の所要箇所に取り付けられ、前記通り芯に直交する方向に複数の係止孔を備えている支持ステーと、前記硬貨搬送路の受け部を有して前記支持ステーに取り付けられるブラケットとからなり、前記ブラケットは、パチンコ島の内部に敷設されるコード類などの配線を掛け止める配線受け部と前記支持ステーを前記通り芯と直交する方向にスライド可能に挟み込む可撓性の挟持片とを備えて、前記挟持片に前記係止孔に係脱可能に係合する位置決め突起を設けていることを特徴とする硬貨搬送路の支持装置を提供して、上記課題を解消するものである。
そして、本発明において、上記係止孔の配列には粗密があり、密部が上記通り芯に交差する位置に設けられていることが良好である。
さらに、上記係止孔の間には、位置決め突起を係止孔配列方向に案内する案内部が設けられていることが良好である。
【０００５】
【発明の実施の形態】
つぎに本発明を図１から図４に示す実施の形態に基づいて詳細に説明する。なお、図５から図７に示す従来例と構成が重複する部分は同符号を付してその説明を省略する。
本発明の支持装置１は図４に示す如く、パチンコ島ａの内部を硬貨搬送路ｄがパチンコ島長手方向に直線状に通るように支持するものであり、従来例と同じようにパチンコ島の内部の所定箇所、例えばパチンコ台間玉貸し機の取付ガイドに取り付けられる。この支持装置１の支持ステー２にあっては、図１に示されているように複数の係止孔５の並びに粗密があり、予めパチンコ島などから割り出された想定上の通り芯Ｘと交差する位置及びその近傍に亘る範囲に、係止孔５の並び間隔を小さくした密部１０が対応しており、その密部１０の両側には、係止孔５の並び間隔をやや大きくした粗部１１が位置している。この結果、寸法誤差などによる通り芯Ｘとブラケット３との取付位置のズレは密部１０で細かく対応でき、設計変更などの大きなズレに対しても粗部１１で対応できるようになる。
また、ブラケット３にあっては、従来の例と同様に略コ字型とした断面の受け部６の両側（通り芯Ｘと直交する方向での両側）に、断面略Ｌ字型とした配線受け部１２が一体にして設けられており、これらの配線受け部１２に対してパチンコ島の内部に敷設される信号配線や電気配線などを掛け止めることができるようにしている。このため、ブラケット３を配線の支持に兼用することでパチンコ島内の構造を簡略化することができる。
【０００６】
図２に示すように、上記受け部６の下面には、支持ステー２の張り出し部分をスライド可能に挟み込む可撓性を有した挟持片１３が一体に設けられていて、この挟持片１３と受け部６の下面との間で支持ステー２の張り出し部分を挟み込むことで、このブラケット３自体が通り芯Ｘと直交する方向に移動できるように設けられている。なお、１４は支持ステー２の通り芯Ｘ方向への抜けを防止する当て板部である。さらに、前記挟持片１３に前記係止孔５に係脱可能に係合する位置決め突起１５が上方に向けて突設されていて、この位置決め突起１５を係止孔５に係止させることで支持ステー２に対するブラケット３の位置決めが行われ、また、挟持片１３を下方に若干さげるように撓ませることでその位置決め突起１５を係止孔５から外すことでブラケット３を自由にスライドさせることができる。
図示するように受け部６の互いに相対している側壁６ａそれぞれにおいて、その上端中央には上方に向けて立ち上がる係止爪６ｂが形成されており、この係止爪６ｂにより後述するシュータ連結具７の取付支持を行っている。
【０００７】
一方、図３に示すように、支持ステー２において、密部１０に並ぶ係止孔５の間それぞれには、上記位置決め突起１５の径１５ａより小さい幅で開いた切欠きからなる案内部１６が設けられていて、この案内部１６が係止孔配列方向に並び、即ち、通り芯Ｘと直交する方向に並んでいる。上述したようにブラケット３を移動させる際、挟持片１３を若干下方に下げるようにしながらブラケット３全体をスライドさせれば、係止孔５から抜けた位置決め突起１５がその案内部１６に乗り、それ以上挟持片１３を押し下げなくとも位置決め突起１５が案内部１６に摺接しながら案内されて、ブラケット３全体を通り芯Ｘと直交する方向に移動でき、隣の係止孔５に差し掛かったときに位置決め突起１５が自然とその係止孔５に入り込んで係止するようになり、ブラケットの移動と位置決めが極めて簡単に行えるように設けられている。
【０００８】
この実施の例におけるシュータ連結具７は従来の例として図示したものとは異なっている。まず、受け部６を覆うように上方からセットするこのシュータ連結具７の取付板１７には、その中央両側に受け部６における上記係止爪６ｂと対応する係止口７ａを開口し、この係止口７ａに前記係止爪６ｂを係止させることでブラケット３取り付ける。また、この取付板１７には二つの透孔１８が開けられ、その透孔１８の三方を覆うようにして壁部１９を立設してシュート連結口２０を形成し、そのシュート連結口２０に着脱可能にして蓋材２１を取り付けたものとしており、パチンコ台間玉貸し機と連結する部分にはこの蓋材を取り付けないようにしている。そして、このシュータ連結具に対しては、図４に示されているように、硬貨搬送路ｄを挟むようにして向かい合うパチンコ台間玉貸し機側からのシュータｇが取り付けられ、それぞれのパチンコ台間玉貸し機から送り出される硬貨がシュータｇ、シュータ連結具７を通して前記硬貨搬送路ｄに落ちるようにしている。
【０００９】
【発明の効果】
以上説明したように、本発明の硬貨搬送路の支持装置は、パチンコ島内部の硬貨搬送路の通り芯に交差するようにしてパチンコ島内部の所要箇所に取り付けられ、前記通り芯に直交する方向に複数の係止孔を備えている支持ステーと、前記硬貨搬送路の受け部を有して前記支持ステーに取り付けられるブラケットとからなり、前記ブラケットは、パチンコ島の内部に敷設されるコード類などの配線を掛け止める配線受け部と前記支持ステーを前記通り芯と直交する方向にスライド可能に挟み込む可撓性の挟持片とを備えて、前記挟持片に前記係止孔に係脱可能に係合する位置決め突起を設けていることを特徴とするものである。これによって、支持ステーに対してブラケットを移動させる際、挟持片を若干押し下げて位置決め突起を係止孔から外すという操作でブラケットが自由に移動させることができるようになり、従来の蝶ナットの締め外しのような煩雑な作業を行うことなく、通り芯に適合した位置にブラケットを設定位置させることができ、その通り芯に硬貨搬送路を形成し易くなるなど、実用性に優れた効果を奏するものである。
【図面の簡単な説明】
【図１】本発明に係る硬貨搬送路の支持装置の一例を分解した状態で示す説明図である。
【図２】一例における挟持片と支持ステーとの係止状態を示す説明図である。
【図３】支持ステーの係止孔における案内部を示す説明図である。
【図４】一例の使用状態を示す説明図である。
【図５】パチンコ島を概略的に示す説明図である。
【図６】従来の支持装置を分解した状態で示す説明図である。
【図７】従来の支持装置の使用状態を示す説明図である。
【符号の説明】
１…支持装置
２…支持ステー
３…ブラケット
５…係止孔
６…受け部
７…シュータ連結具
１０…密部
１１…粗部
１２…配線受け部
１３…挟持片
１５…位置決め突起
１６…案内部
Ｘ…硬貨搬送路の通り芯
【図１】
0003982899.tif 000002
【図２】
0003982899.tif 000003
【図３】
0003982899.tif 000004
【図４】
0003982899.tif 000005
【図５】
0003982899.tif 000006
【図６】
0003982899.tif 000007
【図７】
0003982899.tif 000008